(57)【特許請求の範囲】
【請求項１】
連続する多数の袋１、１´・・・・内に各アサガオ形コイルスプリング２、２´・・・・を収容し、隣接するアサガオ形コイルスプリング２、２´の上下が逆の組み合せとなるように平板状に配列したスプリング列３からなるポケットコイル構造体であって、隣接する袋１、１´・・・・の形状が互いに逆の台形状になるように第１ウエルダー部９に対して第２のウエルダー部１０は垂直でなく傾斜しており、次の第２ウエルダー部１０´は逆傾斜となっており、袋１、１´・・・・を介して隣接するアサガオ形コイルスプリング２、２´の上下間が線状に接触していることを特徴とするアサガオ形コイルスプリングからなるポケットコイル構造体。
【請求項２】
スプリング列３を蛇行させて矩形な平板状に配列してポケツトコイルスプリングシート４を形成してなる請求項１記載のアサガオ形コイルスプリングからなるポケットコイル構造体。
【請求項３】
連続する多数の台形状袋１、１´・・・・の長さをマットレスの幅或いは長さのものとし、袋１内のアサガオ形コイルスプリング２を同一方向に収容した複数の一定長さのスプリング列３、３´・・・・を形成し、隣接するスプリング列３、３´を上下逆向きに並列に配してなることを特徴とするアサガオ形コイルスプリングからなるポケットコイル構造体。
【発明の詳細な説明】
【００１】
【産業上の利用分野】
本発明は、連続する多数の袋部内に各アサガオスプリングを収容し、平板状に配列したポケットコイル構造体に関するものである。
【００２】
【従来技術】
従来より、ベッド用マットレスに使用されるスプリング構造体として、連続する多数の袋部内に、樽形スプリングを収容し、平板状に配列したポケットコイル構造体のものは知られている（例えば特公昭５６−３６９３１号）。
【００３】
上記のようなポケットコイル構造体のものは、隣接する袋と袋の高さ方向の中央部で接着等により連結し、ポケットコイル自体は袋に収容された状態であり、連結はされていないものであるため、コイル間の接触箇所は樽形スプリングの最大径部分である高さ方向の中央部分となり、コイルの上下部分はフリーの状態で、荷重のかかった箇所のコイルのみがたわみ、隣接するコイルに影響を及ぼさないクッション特性を有したものである。
【００４】
しかし、収容する袋は連続する帯状の布を幅方向に２つ折りとし端部を熱溶着し、長さ方向を一定のピッチで直線的に熱溶着して袋部を形成したものであるため、袋部と樽形コイルの形状が一致せず、樽形コイルの大きさに対して袋部は上下の部分が大きなため、また、樽形コイル間も上下部分では接触しておらずフリーな状態であるため、実際の使用時に繰り返し荷重がかった場合、袋部内で樽形コイルが踊る現象が起こり、隣接するコイルの巻径部に引っかかったり、斜めの状態になったりし、荷重が取り除かれた後、樽形コイルが正常に復帰せず、形状不良が起こったり、荷重のかかっていた箇所がへこんだままで復帰しない状態が起こりがちであった。
【００５】
【発明が解決しようとする課題】
袋部内に収容するコイルをアサガオ形のコイルにすることにより、隣接するコイル間の遊びをなくし、形状不良の起きにくいポケットコイル構造体を提供することを目的とするものである。
【００６】
【課題を解決するための手段】
連続する多数の袋１、１´・・・・内に各アサガオ形コイルスプリング２、２´・・・・を収容し、隣接するアサガオ形コイルスプリング２、２´の上下が逆の組み合せとなるように平板状に配列したスプリング列３からなるポケットコイル構造体であって、隣接する袋１、１´・・・・の形状が互いに逆の台形状になるように第１ウエルダー部９に対して第２のウエルダー部１０は垂直でなく傾斜しており、次の第２ウエルダー部１０´は逆傾斜となっており、袋１、１´・・・・を介して隣接するアサガオ形コイルスプリング２、２´の上下間が線状に接触していることを特徴とするアサガオ形コイルスプリングからなるポケットコイル構造体である。
【００７】
【作用】
平板状に配列された袋１、１′・・・・内に収容したアサガオ形コイルスプリング２，２′・・・・は、各隣接するアサガオ形コイルスプリング２，２′・・・・の上下が逆の組合せとなっているため、袋１、１′・・・・を介して上下間が線状の接触となり、該アサガオ形コイルスプリング２、２′間の遊びが無いため、袋１内でのアサガオ形コイルスプリング２の踊る現象が起こらず、型くずれを起こさない。
【００８】
また、該アサガオ形コイルスプリング２、２′間に遊びが無いことにより、荷重に対してアサガオ形コイルスプリング２は上下のたわみに強制され正常なクッション特性を発揮することができる。
【００９】
【実施例】
本発明の実施例を図面に基づいて説明すると、図１に示すように、連続する多数の袋１、１′・・・・内にはアサガオ形コイルスプリング２が封入され、その隣接する袋１、１′・・・・内のアサガオ形コイルスプリング２、２′・・・・は上下関係が逆になるように封入されており、連続する袋１、１′・・・・内にアサガオ形コイルスプリング２、２′を封入したスプリング列３はマットレスの幅方向で折り返し（折り返しはマットレスの幅方向に限定するものではなく、長さ方向でもかまわない）蛇行させて矩形な平板状に配列しポケットスプリングシート４を形成している。
【０１０】
該ポケットスプリングシート４の上下の外周には枠線５を配してホックリング６、６′・・・・によりアサガオ形コイルスプリング２，２′に固定している。
【０１１】
次にアサガオ形コイルスプリング２，２′・・・・の袋１への封入状態については図２に示すように、熱溶着可能な帯状の布７を幅方向中央で２つ折りし、端部８、８′を高周波ウエルダーで熱溶着して第１のウエルダー部９を形成し、筒状とした後アサガオ形コイルスプリング２を圧縮状態で筒状内に挿入し縦方向に同様に熱溶着により第２のウエルダー部１０，１０′を形成して筒状内を仕切ることにより連続する袋１、１′・・・・を形成するもので、隣接する袋１、１′・・・・の形状が互いに逆の台形状になるように第１のウエルダー部９に対して第２のウエルダー部１０は垂直でなく傾斜しており、次の第２のウエルダー部１０′は逆傾斜となっている。
【０１２】
圧縮状態で封入されているアサガオ形コイルスプリング２は起こしてやる際に隣接するアサガオ形コイルスプリング２、２′・・・・を順次、逆起こしにすることで図２に示すような隣接するアサガオ形コイルスプリング２、２′・・・・が上下が逆の関係になるように連続する袋１，１′・・・・内に収容したものである。
【０１３】
袋１の形状をアサガオ形コイルスプリング２の形状に沿うような台形としたことでアサガオ形コイルスプリング２が袋１内で踊るスペースが無くなり、形状変形を起こさない安定したポケットスプリングシート４を形成することができる。
【０１４】
前述のように、袋１の形状を台形にすることが好ましいが、図３に示すように第１のウエルダー部９と第２のウエルダー部１０，１０′が垂直な関係のものでもかまわない。
【０１５】
蛇行させて互いに隣接するスプリング列３、３′・・・・は図４に示すようにアサガオ形コイルスプリング２の高さ方向中央部に当たる袋１、１′間をホットメルト接着１１、１１′・・・・により連結されている。
【０１６】
次に別の実施例について説明すると、連続する多数の袋１、１′・・・・の長さをマットレスの幅あるいわ、長さのものとし、袋１内にアサガオ形コイルスプリング２を同一方向に収容した複数の一定長さのスプリング列３、３′・・・・を形成し、これを図５に示すように、隣接するスプリング列３、３′を上下逆向きにしてアサガオ形コイルスプリング２の中央部に当たる袋１、１′間をホットメルト接着１１、１１′・・・・により連結してポケットスプリングシート４を形成したものでもかまわない。
【０１７】
【発明の効果】
本発明のものの場合、ポケットコイル構造体のコイルとしてアサガオ形コイルスプリング２を適用し、隣接するアサガオ形コイルスプリング２、２′・・・・の位置関係を上下逆となるように組上げたことにより、隣接するコイル同士の接触点が従来の樽形コイルの点接触に対して線接触となるため、マットレスのポケットスプリング構造体に適用した場合、実際の長期間の使用における繰り返しの荷重に対して、袋１内でアサガオ形コイルスプリング２が踊る現象が起こらず、隣接するコイル間で斜めの状態となったり、コイルの巻径同士が引っかかったりすることが無く、アサガオ形コイルスプリング２が正規の上下間で変形するように強制されるため、荷重撤去後にへこみが復帰しなかったり、マットレス自体が変形を起こさない安定したポケットコイル構造体を提供することができる。
【０１８】
【図面の簡単な説明】
【図１】本発明の一実施例を示す全体斜視図。
【図２】図１のものの袋１、１′の形状とアサガオ形コイルスプリング２、２′の収容関係を示すスプリング列３の部分拡大図。
【図３】袋１の形状の別の実施例を示すスプリング列３の部分拡大図。
【図４】図１のもののスプリング列３、３′間の連結を示す部分拡大断面図。
【図５】本発明のものの別の実施例におけるスプリング列３、３′間の連結を示す部分拡大断面図。
【符号の説明】
１，１′・・・・袋
２，２′・・・・アサガオ形コイルスプリング
３、３′・・・・スプリング列
４・・・・・・・ポケットスプリングシート
５・・・・・・・枠線
【図１】
0003553346.tif 000002
【図２】
0003553346.tif 000003
【図３】
0003553346.tif 000004
【図４】
0003553346.tif 000005
【図５】
0003553346.tif 000006